(57)【要約】【課題】収容部が大きくなることを抑えながら収容空間を大きくすることができるとともに収容部の強度を確保することができるランドセルを提供する。【解決手段】ランドセルは、収容部と、蓋部と、一対の背負いベルトとを備えている。収容部１は、背部１１と、背部１１の外縁部１１ａに接続されたマチ部１２とを含んでいる。マチ部１２は、表地１２ａと、表地１２ａよりも曲げ剛性が高くかつ表地１２ａの内側に配置された中芯１２ｂと、表地１２ａよりも曲げ剛性が高くかつ中芯１２ｂの内側に配置された内芯１２ｃとを含んでいる。中芯１２ｂおよび内芯１２ｃのいずれかは、本体部Ｐ１と、本体部Ｐ１から表地１２ａと反対側に突出する突出部Ｐ２とを含んでいる。本体部Ｐ１および突出部Ｐ２は、背部１１に支持されている。【選択図】図３
2019217038.tif 000002
【特許請求の範囲】
【請求項１】
開口部が設けられた収容部と、
前記開口部を開閉可能に前記収容部に接続された蓋部と、
前記収容部に接続された一対の背負いベルトとを備え、
前記収容部は、一対の前記背負いベルトのそれぞれの一端が接続されかつ前記蓋部が接続された背部と、前記背部の外縁部に接続されたマチ部とを含み、
前記マチ部は、表地と、前記表地よりも曲げ剛性が高くかつ前記表地の内側に配置された中芯と、前記表地よりも曲げ剛性が高くかつ前記中芯の内側に配置された内芯とを含み、
前記中芯および前記内芯のいずれかは、本体部と、前記本体部から前記表地と反対側に突出する突出部とを含み、
前記本体部および前記突出部は、前記背部に支持されている、ランドセル。
【請求項２】
前記内芯は前記突出部を含む、請求項１に記載のランドセル。
【請求項３】
前記中芯は前記突出部を含み、
前記内芯は前記突出部に支持されている、請求項１に記載のランドセル。
【請求項４】
前記中芯は前記内芯よりも曲げ剛性が高い、請求項１〜３のいずれか１項に記載のランドセル。
【請求項５】
前記内芯の内側に配置された裏地をさらに備えた、請求項１〜４のいずれか１項に記載のランドセル。
【発明の詳細な説明】
【技術分野】
【０００１】
本発明は、ランドセルに関するものである。
【背景技術】
【０００２】
従来、ランドセルには、いわゆる学習院型と呼ばれるものがある。この学習院型のランドセルでは、教科書等を収容する収容部のマチ部は、収容部の収容空間を取り囲む側壁部と、側壁部から外側に張り出した張出部とを有している。この張出部は、収容部の背部に接続されている。この学習院型のランドセルは、例えば実用新案登録第３０７８７４４号公報（特許文献１）に記載されている。
【先行技術文献】
【特許文献】
【０００３】
【特許文献１】実用新案登録第３０７８７４４号公報
【発明の概要】
【発明が解決しようとする課題】
【０００４】
上記の学習院型のランドセルでは、張出部が側壁部から外側に張り出しているため、側壁部よりも背部の外形が大きくなる。したがって、側壁部に取り囲まれた収容空間が大きくなると背部の外形も大きくなるため、収容部が大きくなる。このため、収容部が大きくなることを抑えながら収容空間を大きくすることは困難である。また、張出部は収容部を補強する役割を果たしている。したがって、収容部が大きくなることを抑えるために張出部が設けられないと、収容部の強度を確保することは困難である。
【０００５】
本発明は上記課題に鑑みてなされたものであり、その目的は、収容部が大きくなることを抑えながら収容空間を大きくすることができるとともに収容部の強度を確保することができるランドセルを提供することである。
【課題を解決するための手段】
【０００６】
本発明のランドセルは、開口部が設けられた収容部と、開口部を開閉可能に収容部に接続された蓋部と、収容部に接続された一対の背負いベルトとを備えている。収容部は、一対の背負いベルトのそれぞれの一端が接続されかつ蓋部が接続された背部と、背部の外縁部に接続されたマチ部とを含んでいる。マチ部は、表地と、表地よりも曲げ剛性が高くかつ表地の内側に配置された中芯と、表地よりも曲げ剛性が高くかつ中芯の内側に配置された内芯とを含んでいる。中芯および内芯のいずれかは、本体部と、本体部から表地と反対側に突出する突出部とを含んでいる。本体部および突出部は、背部に支持されている。
【発明の効果】
【０００７】
本発明のランドセルによれば、中芯および内芯のいずれかは、本体部から表地と反対側に突出する突出部を含んでいる。このため、突出部は表地から外側に突出しない。したがって、マチ部よりも背部の外形が大きくならないため、背部の大きさを維持しつつ収容空間を大きくすることができる。よって、収容部が大きくなることを抑えながら収容空間を大きくすることができる。また、マチ部は、中芯と、内芯とを含んでいる。このため、中芯および内芯の両方によって収容部の強度を確保することができる。さらに、本体部および突出部は、背部に支持されている。このため、本体部および突出部によって収容部の強度を確保することができる。
【図面の簡単な説明】
【０００８】
【図１】本発明の一実施の形態におけるランドセルの概略斜視図である。
【図２】図１に示されるランドセルの背部およびマチ部の分解斜視図である。
【図３】図１のＩＩＩ−ＩＩＩ線に沿う断面図である。
【図４】図１のＩＶ−ＩＶ線に沿う断面図である。
【図５】図２に示されるマチ部の中芯および内芯の展開図である。
【図６】図２に示されるマチ部の表地の展開図である。
【図７】図２に示されるマチ部および補強部材の展開図である。
【図８】図７に示される背部およびマチ部の配置を説明するための図である。
【図９】比較例におけるランドセルの概略斜視図である。
【図１０】図９のＸ−Ｘ線に沿う断面図である。
【図１１】図９のＸＩ−ＸＩ線に沿う断面図である。
【図１２】本発明の一実施の形態における変形例１のランドセルの図３に対応する位置での断面図である。
【図１３】本発明の一実施の形態における変形例１のランドセルの図４に対応する位置での断面図である。
【図１４】本発明の一実施の形態における変形例２のランドセルの図３に対応する位置での断面図である。
【図１５】本発明の一実施の形態における変形例２のランドセルの図４に対応する位置での断面図である。
【発明を実施するための形態】
【０００９】
以下、本発明の一実施の形態について図に基づいて説明する。なお、以下の図においては、同一または相当する部分に同一の符号を付すものとし、重複する説明は繰り返さない。
【００１０】
最初に本発明の一実施の形態におけるランドセルの構成について説明する。
図１および図２を参照して、本実施の形態におけるランドセル１００は、収容部１と、蓋部２と、一対の背負いベルト３と、連結部材４と、補強部材５とを主に有している。
【００１１】
収容部１は、背部１１と、マチ部１２と、正面部１３とを有している。収容部１には開口部ＯＰが設けられている。収容部１は上端に開口部ＯＰを有している。収容部１は開口部ＯＰに連通する収容空間ＩＳを有している。収容空間ＩＳは、背部１１、マチ部１２および正面部１３のそれぞれの内周面によって取り囲まれた空間である。収容部１は開口部ＯＰを通して収容空間ＩＳに教科書等を収容可能に構成されている。
【００１２】
背部１１には、一対の背負いベルト３のそれぞれの一端が接続されている。背部１１には、蓋部２が接続されている。背部１１には、連結部材４が取り付けられている。一対の背負いベルト３のそれぞれは連結部材４を介して背部１１に接続されている。背部１１およびマチ部１２には、補強部材５が取り付けられている。
【００１３】
マチ部１２は、背部１１の外縁部１１ａに接続されている。マチ部１２は、背部１１の上端部の中央部を除く外縁部１１ａに接続されている。つまり、マチ部１２は、Ｕ字状に背部１１の外縁部１１ａに接続されている。
【００１４】
マチ部１２は、一対の側部１２１と、底部１２２とを有している。一対の側部１２１は、底部１２２を挟んで向かい合うように配置されている。一対の側部１２１の各々は、底部１２２の両端から立ち上がるように構成されている。底部１２２は、開口部ＯＰと向かい合うように配置されている。
【００１５】
蓋部２は、開口部ＯＰを開閉可能に収容部１に接続されている。具体的には、蓋部２は、収容部１の背部１１の上端に接続されており、背部１１の上端を基端にして開口部ＯＰを開閉可能に構成されている。蓋部２は、図１に示される閉じられた状態で、収容部１の開口部ＯＰおよび正面部１３を覆うことが可能に構成されている。また、蓋部２は開かれた状態で、収容部１の開口部ＯＰおよび正面部１３を露出させることが可能に構成されている。
【００１６】
一対の背負いベルト３は収容部１に接続されている。具体的には、一対の背負いベルト３のそれぞれの一端が連結部材４を介して背部１１の上端部に接続されている。なお、図１では、説明の便宜のため、一対の背負いベルト３は各々の一端周辺のみが図示されており、一端の周辺以外は図示されていない。一対の背負いベルト３のそれぞれの他端が図示しない接続部材を介してマチ部１２の底部１２２に接続されている。一対の背負いベルト３は、左右に１本ずつ設けられている。一対の背負いベルト３は、使用者がランドセル１００を背負ったときに使用者の両肩に装着されるように構成されている。
【００１７】
補強部材５は、収容部１の下部において収容部１の背部１１側の角に配置されている。補強部材５は、背部１１の下端部に沿って一対の側部１２１にわたって延在している。補強部材５は、背部１１の下端部から一対の側部１２１の各々に沿って上方に向けて立ち上がるように延在している。補強部材５は、背部１１と一対の側部１２１の各々とにわたって配置されており、背部１１と底部１２２とにわたって配置されている。
【００１８】
続いて、背部１１およびマチ部１２の構成について詳しく説明する。
図２および図３を参照して、マチ部１２は、表地１２ａと、中芯１２ｂと、内芯１２ｃとを含んでいる。表地１２ａと、中芯１２ｂと、内芯１２ｃとは互いに重ねられている。表地１２ａと、中芯１２ｂと、内芯１２ｃとは、外側から内側に向けてこの順に配置されている。
【００１９】
表地１２ａは、マチ部１２の外面を構成している。表地１２ａの素材は、例えば、人工皮革または牛革である。中芯１２ｂは、表地１２ａよりも曲げ剛性が高い。中芯１２ｂは、表地１２ａと異なる素材により構成されている。中芯１２ｂの素材は、例えば、樹脂であり、具体的にはポリエチレンテレフタレート繊維およびポリエステル樹脂が主成分として混合された発泡樹脂であってもよい。中芯１２ｂは、表地１２ａの内側に配置されている。内芯１２ｃは、表地１２ａよりも曲げ剛性が高い。内芯１２ｃは、表地１２ａと異なる素材により構成されている。内芯１２ｃの素材は、例えば、樹脂であり、具体的にはポリエチレンテレフタレート繊維およびポリエステル樹脂が主成分として混合された発泡樹脂であってもよい。また、内芯１２ｃの素材は、具体的にはパルプおよびアクリル樹脂が主成分として混合された樹脂と、上記発泡樹脂とが積層されたものであってもよい。内芯１２ｃは、中芯１２ｂの内側に配置されている。
【００２０】
中芯１２ｂは、内芯１２ｃと同等の曲げ剛性を有していてもよい。中芯１２ｂは、内芯１２ｃと同じ素材であってもよく、内芯１２ｃと同じ厚さであってもよい。また、中芯１２ｂは、内芯１２ｃよりも曲げ剛性が高いことが好ましい。この場合、中芯１２ｂは、内芯１２ｃと異なる素材により構成されていてもよく、内芯１２ｃよりも大きな厚さであってもよい。
【００２１】
中芯１２ｂおよび内芯１２ｃのいずれかは、本体部Ｐ１と、突出部Ｐ２とを含んでいる。本実施の形態では、内芯１２ｃは、本体部Ｐ１および突出部Ｐ２を含んでいる。突出部Ｐ２は、本体部Ｐ１から表地１２ａと反対側に突出するように構成されている。突出部Ｐ２は、本体部Ｐ１の背部１１側の端部に配置されている。つまり、内芯１２ｃの後辺部に内向きに折り曲げられた折曲部が設けられている。本体部Ｐ１および突出部Ｐ２は、背部１１に支持されている。つまり、内芯１２ｃの折曲部が背部１１の内面に当接している。また、本実施の形態では、中芯１２ｂは背部１１の内面にストレートに突き立てられている。
【００２２】
表地１２ａ、中芯１２ｂ、内芯１２ｃは、互いに重ねられた状態で、縫着されている。つまり、表地１２ａ、中芯１２ｂ、内芯１２ｃは、互いに重ねられた状態で、それぞれを糸が貫通するように縫われている。
【００２３】
具体的には、表地１２ａはへり返しされた折曲部Ｐ３を有している。折曲部Ｐ３は背部１１の外縁部１１ａの外面に重ねられている。表地１２ａの折曲部Ｐ３と内芯１２ｃの突出部Ｐ２とにより背部１１の外縁部１１ａが挟み込まれている。表地１２ａの折曲部Ｐ３と内芯１２ｃの突出部Ｐ２とにより背部１１の外縁部１１ａが挟み込まれた状態で、表地１２ａの折曲部Ｐ３と、背部１１の外縁部１１ａと、内芯１２ｃの突出部Ｐ２とが糸６により一体的に縫われている。また、表地１２ａと、中芯１２ｂと、内芯１２ｃの本体部Ｐ１とが糸７により一体的に縫われている。
【００２４】
図４を参照して、補強部材５は、収容部１の背部１１側の角において、表地１２ａを外側から覆うように配置されている。補強部材５と背部１１とにより表地１２ａの折曲部Ｐ３が挟み込まれている。補強部材５と内芯１２ｃの突出部Ｐ２とにより表地１２ａの折曲部Ｐ３と背部１１の外縁部１１ａとが挟み込まれた状態で、補強部材５と、表地１２ａの折曲部Ｐ３と、背部１１の外縁部１１ａと、内芯１２ｃの突出部Ｐ２とが一体的に糸６により一体的に縫われている。また、補強部材５と、表地１２ａと、中芯１２ｂと、内芯１２ｃの本体部Ｐ１とが糸７により一体的に縫われている。
【００２５】
図５〜図８を参照して、背部１１およびマチ部１２の配置についてさらに詳しく説明する。図５〜図８は、説明の便宜のため、マチ部１２が展開された状態を図示している。図５を参照して、内芯１２ｃの本体部Ｐ１と突出部Ｐ２との境界線に沿って、中芯１２ｂが内芯１２ｃに重ねられている。中芯１２ｂの外形は、内芯１２ｃの外形よりも小さい。内芯１２ｃの短手方向の一方端に長手方向に延在するように突出部Ｐ２が配置されている。内芯１２ｃは、切欠き部２０を有している。切欠き部２０は、突出部Ｐ２の長手方向に延在する縁に設けられている。切欠き部２０は、突出部Ｐ２の長手方向の中央部に２つ設けられている。切欠き部２０は、鋸歯状に構成されている。切欠き部２０により内芯１２ｃの突出部Ｐ２を折り曲げることが容易となる。
【００２６】
図６を参照して、表地１２ａの短手方向の一方端に長手方向に延在するように折曲部Ｐ３が配置されている。図７を参照して、表地１２ａ、中芯１２ｂ、内芯１２ｃが互いに重ねられている。さらに、表地１２ａに中芯１２ｂと反対側から補強部材５が重ねられている。補強部材５は、表地１２ａの長手方向の中央部に配置され、切欠き部２０に重なるように配置されている。図８を参照して、背部１１の外縁部１１ａに表地１２ａの折曲部Ｐ３が位置するように背部１１がマチ部１２に位置決めされている。背部１１の下端の角部が切欠き部２０に重なるように背部１１がマチ部１２に位置決めされている。
【００２７】
次に、本実施の形態におけるランドセル１００の作用効果について比較例と対比して説明する。
【００２８】
図９を参照して、比較例におけるランドセル１００は、いわゆる学習院型のランドセル１００である。比較例におけるランドセル１００では、マチ部１２は、収容部１の収容空間ＩＳを取り囲む側壁部１２３と、側壁部１２３から外側に突出する張出部１２４とを有している。張出部１２４は、収容部１の背部１１の外縁部１１ａに接続されている。張出部１２４および外縁部１１ａは角生地８により外側から覆われている。
【００２９】
図１０および図１１を参照して、張出部１２４は、第１張出部材１２４ａと、第２張出部材１２４ｂとを含んでいる。表地１２ａは第１張出部材１２４ａを有している。第１張出部材１２４ａは表地１２ａの背部１１側の端部に配置されている。中芯１２ｂは第２張出部材１２４ｂを有している。第２張出部材１２４ｂは中芯１２ｂの背部１１側の端部に配置されている。第１張出部材１２４ａおよび第２張出部材１２４ｂは内芯１２ｃと反対側に張り出すように構成されている。
【００３０】
図９〜図１１を参照して、比較例のランドセル１００では、張出部１２４が側壁部１２３から外側に張り出しているため、側壁部１２３よりも背部１１の外形が大きくなる。したがって、側壁部１２３に取り囲まれた収容空間ＩＳが大きくなると背部１１の外形も大きくなるため、収容部１が大きくなる。このため、収容部１が大きくなることを抑えながら収容空間ＩＳを大きくすることは困難である。また、張出部１２４は収容部１を補強する役割を果たしている。したがって、収容部１が大きくなることを抑えるために張出部１２４が設けられないと、収容部１の強度を確保することは困難である。
【００３１】
これに対して、本実施の形態におけるランドセル１００によれば、図１および図３に示されるように、中芯１２ｂおよび内芯１２ｃのいずれかは、本体部Ｐ１から表地１２ａと反対側に突出する突出部Ｐ２を含んでいる。このため、突出部Ｐ２は表地１２ａから外側に突出しない。したがって、マチ部１２よりも背部１１の外形が大きくならないため、背部１１の大きさを維持しつつ収容空間ＩＳを大きくすることができる。よって、収容部１が大きくなることを抑えながら収容空間ＩＳを大きくすることができる。また、マチ部１２は、中芯１２ｂと、内芯１２ｃとを含んでいる。このため、中芯１２ｂおよび内芯１２ｃの両方によって収容部１の強度を確保することができる。さらに、本体部Ｐ１および突出部Ｐ２は、背部１１に支持されている。このため、本体部Ｐ１および突出部Ｐ２によって収容部１の強度を確保することができる。
【００３２】
また、マチ部１２は、中芯１２ｂと、内芯１２ｃとを含んでいる。このため、中芯１２ｂと、内芯１２ｃとは別々に強度を調整することができる。したがって、収容部１の強度の調整が容易となる。
【００３３】
また、本実施の形態におけるランドセル１００によれば、表地１２ａの折曲部Ｐ３と突出部Ｐ２とによって背部１１が挟み込まれているため、比較例の角生地８は不要となる。表地１２ａとは別部材である角生地８は不要となるため、部材の数を少なくすることができる。したがって、生産性を向上させることができる。
【００３４】
また、図１および図４を参照して、本実施の形態におけるランドセル１００は、補強部材５を備えている。したがって、補強部材５により収容部１の強度をさらに確保することができる。
【００３５】
図１および図３を参照して、本実施の形態におけるランドセル１００によれば、内芯１２ｃは突出部Ｐ２を含んでいる。このため、内芯１２ｃと表地１２ａとにより中芯１２ｂを挟み込んで互いを縫い合わせることが容易となる。
【００３６】
本実施の形態におけるランドセル１００によれば、中芯１２ｂは内芯１２ｃよりも曲げ剛性が高くてもよい。これにより、中芯１２ｂにより収容部１の強度を確保することが容易となる。
【００３７】
次に、本実施の形態における変形例１および変形例２のランドセル１００について説明する。
【００３８】
図１２および図１３を参照して、本実施の形態における変形例１のランドセル１００について説明する。本実施の形態における変形例１のランドセル１００では、上記の本実施の形態におけるランドセル１００に比べて中芯１２ｂおよび内芯１２ｃの構成が主に異なっている。
【００３９】
本実施の形態における変形例１のランドセル１００では、中芯１２ｂは、本体部Ｐ１および突出部Ｐ２を含んでいる。突出部Ｐ２は、本体部Ｐ１から表地１２ａと反対側に内芯１２ｃを越えて突出するように構成されている。中芯１２ｂの後辺部に折曲部が設けられている。中芯１２ｂの折曲部が背部１１の内面に当接している。内芯１２ｃは中芯１２ｂの突出部Ｐ２に支持されている。内芯１２ｃは、突出部Ｐ２の内面にストレートに突き立てられている。つまり、内芯１２ｃは、突出部Ｐ２を含んでいない。
【００４０】
図１２を参照して、表地１２ａの折曲部Ｐ３と中芯１２ｂの突出部Ｐ２とにより背部１１の外縁部１１ａが挟み込まれている。表地１２ａの折曲部Ｐ３と中芯１２ｂの突出部Ｐ２とにより背部１１の外縁部１１ａが挟み込まれた状態で、表地１２ａの折曲部Ｐ３と、背部１１の外縁部１１ａと、中芯１２ｂの突出部Ｐ２とが糸６により一体的に縫われている。また、表地１２ａと、中芯１２ｂの本体部Ｐ１と、内芯１２ｃとが糸７により一体的に縫われている。
【００４１】
図１３を参照して、補強部材５と中芯１２ｂの突出部Ｐ２とにより表地１２ａの折曲部Ｐ３と背部１１の外縁部１１ａとが挟み込まれた状態で、補強部材５と、表地１２ａの折曲部Ｐ３と、背部１１の外縁部１１ａと、内芯１２ｃの突出部Ｐ２とが一体的に糸６により一体的に縫われている。また、補強部材５と、表地１２ａと、中芯１２ｂの本体部Ｐ１と、内芯１２ｃとが糸７により一体的に縫われている。
【００４２】
本実施の形態における変形例１のランドセル１００によれば、中芯１２ｂは突出部Ｐ２を含んでいる。このため、中芯１２ｂが背部１１の内面から外側に外れて背部１１と表地１２ａとの間に入り込むことを抑制することができる。これにより、収容部１の強度を確保することができる。また、内芯１２ｃは中芯１２ｂの突出部Ｐ２に支持されている。このため、中芯１２ｂの本体部Ｐ１と突出部Ｐ２とが互いに近づくように変形することを内芯１２ｃにより抑制することができる。これにより、収容部１の強度を確保することができる。
【００４３】
図１４および図１５を参照して、本実施の形態における変形例２のランドセル１００について説明する。本実施の形態における変形例２のランドセル１００では、上記の本実施の形態におけるランドセル１００に比べて裏地３０を備えている点で主に異なっている。
【００４４】
本実施の形態における変形例２のランドセル１００は、裏地３０を備えている。裏地３０は内芯１２ｃの内側に配置されている。裏地３０は内芯１２ｃを被覆している。裏地３０は、糸６および糸７を覆っている。裏地３０は、糸６および糸７により縫われていない。また、裏地３０は背部１１の内側に配置されている。裏地３０は、背部１１の内面を被覆している。
【００４５】
本実施の形態における変形例１のランドセル１００は、内芯１２ｃの内側に配置された裏地をさらに備えている。このため、内芯１２ｃに収容部１に収容された教科書等が接触することにより内芯１２ｃが破損することを抑制することができる。これにより、収容部１の強度を確保することができる。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００４７】
１  収容部、２  蓋部、３  ベルト、４  連結部材、５  補強部材、６，７  糸、１１  背部、１１ａ  外縁部、１２  マチ部、１２ａ  表地、１２ｂ  中芯、１２ｃ  内芯、１３  正面部、３０  裏地、１００  ランドセル、１２１  側部、１２２  底部、１２３  側壁部、１２４  張出部、ＩＳ  収容空間、ＯＰ  開口部、Ｐ１  本体部、Ｐ２  突出部、Ｐ３  折曲部。
【図１】
2019217038.tif 000003
【図２】
2019217038.tif 000004
【図３】
2019217038.tif 000005
【図４】
2019217038.tif 000006
【図５】
2019217038.tif 000007
【図６】
2019217038.tif 000008
【図７】
2019217038.tif 000009
【図８】
2019217038.tif 000010
【図９】
2019217038.tif 000011
【図１０】
2019217038.tif 000012
【図１１】
2019217038.tif 000013
【図１２】
2019217038.tif 000014
【図１３】
2019217038.tif 000015
【図１４】
2019217038.tif 000016
【図１５】
2019217038.tif 000017
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
開口部が設けられた収容部と、
前記開口部を開閉可能に前記収容部に接続された蓋部と、
前記収容部に接続された一対の背負いベルトとを備え、
前記収容部は、一対の前記背負いベルトのそれぞれの一端が接続されかつ前記蓋部が接続された背部と、前記背部の外縁部に接続されたマチ部とを含み、
前記マチ部は、表地と、前記表地よりも曲げ剛性が高くかつ前記表地の内側に配置された中芯と、前記表地よりも曲げ剛性が高くかつ前記中芯の内側に配置された内芯とを含み、
前記中芯および前記内芯のいずれか一方のみは、本体部と、前記本体部から前記表地と反対側に突出する突出部とを含み、
前記本体部および前記突出部は、前記背部に支持されており、
前記内芯は前記突出部を含み、
前記内芯の折曲部が前記背部の内面に当接しており、前記中芯が前記背部の前記内面にストレートに突き立てられている、ランドセル。
【請求項２】
前記中芯は前記内芯よりも曲げ剛性が高い、請求項１に記載のランドセル。
【請求項３】
前記内芯の内側に配置された裏地をさらに備えた、請求項１または２に記載のランドセル。
【手続補正２】
【補正対象書類名】明細書
【補正対象項目名】０００６
【補正方法】変更
【補正の内容】
【０００６】
本発明のランドセルは、開口部が設けられた収容部と、開口部を開閉可能に収容部に接続された蓋部と、収容部に接続された一対の背負いベルトとを備えている。収容部は、一対の背負いベルトのそれぞれの一端が接続されかつ蓋部が接続された背部と、背部の外縁部に接続されたマチ部とを含んでいる。マチ部は、表地と、表地よりも曲げ剛性が高くかつ表地の内側に配置された中芯と、表地よりも曲げ剛性が高くかつ中芯の内側に配置された内芯とを含んでいる。中芯および内芯のいずれか一方のみは、本体部と、本体部から表地と反対側に突出する突出部とを含んでいる。本体部および突出部は、背部に支持されている。内芯は突出部を含んでいる。内芯の折曲部が背部の内面に当接しており、中芯が背部の内面にストレートに突き立てられている。